(57)【特許請求の範囲】
【請求項１】
第１コネクタとロックとが設けられた筐体と、
前記第１コネクタに接続される第２コネクタ及び前記ロックに係合される係合部が設け
られた第１端部と、該第１端部とは交差する方向に延びて第１凹部が設けられた第２端部
とを有し、前記筐体に取り付けられたモジュールと、
前記ロックに連動した連動部と、
前記連動部によって前記ロックの閉じる動きに伴い前記第１凹部に向いて移動可能であ
り、前記第１凹部に挿入される先端部を有して前記第１凹部に係合され、前記モジュール
の第２端部を支持した第１支持部と、
を具備した電子機器。
【請求項２】
請求項１の記載において、
前記筐体は、前記モジュールが案内されるガイドを有し、
前記第１凹部は、前記ガイドに沿って延びて前記ガイドが挿入される溝であり、
前記第１支持部は、前記ガイドの延びた方向で前記ガイドと並んで前記第１凹部に挿入
される電子機器。
【請求項３】
請求項２の記載において、
前記ガイドは、互いに離れて設けられた第１部分と第２部分とを有し、
前記第１支持部は、前記ガイドの第１部分と第２部分との間に位置した電子機器。
【請求項４】
請求項３の記載において、
前記筐体は、前記ガイドの第１部分と第２部分との間に開口部が設けられ、
前記連動部は、前記筐体内に設けられ、
前記第１支持部の先端部は、前記開口部から前記筐体の外部に突出する電子機器。
【請求項５】
請求項１または請求項４の記載において、
前記連動部は、弾性部を有し、
前記第１支持部は、前記弾性部によって前記第１凹部に向けて押圧される電子機器。
【請求項６】
請求項１または請求項５の記載において、
第２支持部をさらに備え、
前記モジュールは、前記第２端部とは反対側に位置して第２凹部が設けられた第３端部
を有し、
前記第２支持部は、前記第２凹部に向いて移動可能であり、前記第２凹部に挿入される
先端部を有して前記第２凹部に係合され、前記モジュールの第３端部を支持した電子機器
。
【請求項７】
請求項６の記載において、
前記モジュールは、前記第１支持部と前記第２支持部とに挟まれる電子機器。
【請求項８】
請求項１または請求項７の記載において、
前記連動部は、前記ロックに取り付けられた第１部材と、前記筐体に回動可能に支持さ
れた第１端部と前記第１部材に接続された第２端部とを有して前記第１支持部が設けられ
た第２部材とを備えた電子機器。
【発明の詳細な説明】
【技術分野】
【０００１】
本発明の実施形態は、テレビジョン受像機を含む電子機器に関する。
【背景技術】
【０００２】
筐体に取り付けられるモジュールを備えた電子機器が提供されている。
【先行技術文献】
【特許文献】
【０００３】
【特許文献１】実開平３−７７４７７号公報
【発明の概要】
【発明が解決しようとする課題】
【０００４】
筐体に取り付けられたモジュールは、ガタつくことがある。
【０００５】
本発明の目的は、ガタつきの抑制を図ることができる電子機器を提供することである。
【課題を解決するための手段】
【０００６】
実施形態によれば、電子機器は、第１コネクタとロックとが設けられた筐体と、前記第
１コネクタに接続される第２コネクタ及び前記ロックに係合される係合部が設けられた第
１端部と、該第１端部とは交差する方向に延びて第１凹部が設けられた第２端部とを有し
、前記筐体に取り付けられたモジュールと、前記ロックに連動した連動部と、前記連動部
によって前記ロックの閉じる動きに伴い前記第１凹部に向いて移動可能であり、前記第１
凹部に挿入される先端部を有して前記第１凹部に係合され、前記モジュールの第２端部を
支持した第１支持部と、を具備する。
【図面の簡単な説明】
【０００７】
【図１】第１実施形態に係るテレビジョン受像機の斜視図。
【図２】図１中に示されたテレビジョン受像機の断面図。
【図３】図１中に示されたテレビジョン受像機の背面図。
【図４】第２実施形態に係る電子機器の斜視図。
【図５】図４中に示された電子機器の内部を示す平面図。
【図６】図４中に示された第１筐体の一部を示す斜視図。
【図７】図４中に示されたバッテリの斜視図。
【図８】図４中に示されたバッテリの下面図。
【図９】図５中に示された第１支持部を示す斜視図。
【図１０】図５中に示された第１支持部を示す平面図。
【図１１】図５中に示された第１支持部を示す平面図。
【図１２】図５中に示された第１支持部を示す斜視図。
【図１３】図５中に示された第１支持部及びバッテリを示す断面図。
【図１４】図１３中に示された第１支持部のＦ１４−Ｆ１４線に沿う断面図。
【図１５】図５中に示された第１支持部及びバッテリを示す断面図。
【図１６】図１５中に示された第１支持部のＦ１６−Ｆ１６線に沿う断面図。
【図１７】図５中に示された第２支持部を示す平面図。
【図１８】図５中に示された第２支持部を示す平面図。
【図１９】第３実施形態に係る電子機器の下面図。
【図２０】第４実施形態に係る外部接続装置の正面図。
【図２１】第５実施形態に係る電子機器の下面図。
【発明を実施するための形態】
【０００８】
以下、実施の形態について、図面を参照して説明する。
【０００９】
（第１実施形態）  
図１乃至図３は、第１実施形態に係るテレビジョン受像機１を開示している。テレビジョン受像機１は、「電子機器」の一例である。テレビジョン受像機１は、表示ユニット２と、該表示ユニット２を支持するスタンド３とを有する。表示ユニット２は、筐体４と、該筐体４に着脱可能に取り付けられたバッテリ５とを有する。バッテリ５は、「モジュール」の一例である。テレビジョン受像機１は、バッテリ５を支持する第１押さえ部６及び第２押さえ部７を有する。
【００１０】
なお、これらの詳細は、第２実施形態に係る構成と略同じである。そこで、第２実施形態を詳しく説明し、第２実施形態の構成と同一または類似の機能を有する構成は、同一の符号を付してその説明を省略する。
【００１１】
（第２実施形態）  
次に、図４乃至図１８を参照して、第２実施形態に係る電子機器１０を説明する。本実施形態に係る電子機器１０は、例えばノートブック型ポータブルコンピュータ（ノートＰＣ）である。なお本実施形態及び後述する第３乃至第５の実施形態が適用可能な電子機器は、上記例に限定されず、テレビジョン受像機、携帯電話（スマートフォンを含む）、タブレット端末（スレートＰＣ）などを含む種々の電子機器に広く適用可能である。
【００１２】
図４に示すように、電子機器１０は、第１ユニット１１と、第２ユニット１２と、ヒンジ１３ａ，１３ｂとを有する。第１ユニット１１は、例えばメインユニットである。第１ユニット１１は、第１筐体４と、該第１筐体４に着脱可能に取り付けられたバッテリ５とを有する。バッテリ５は、「モジュール」及び「ユニット」の其々一例である。なお、「モジュール」及び「ユニット」は、上記例に限定されず、筐体４に対して着脱可能なＯＤＤユニットやプロジェクター、又はサブバッテリーなど、種々の部材が広く該当する。
【００１３】
第１筐体４には、例えばメインボードとしての回路基板１４が収容されている。第１筐体４は、上壁１５ａ、下壁１５ｂ、及び周壁１５ｃを有し、扁平な箱状に形成されている。なお本明細書では、ユーザーから見て、上下左右を定義している。また、ユーザーに近い方を「前」、ユーザーから遠い方を「後」と定義している。
【００１４】
下壁１５ｂは、電子機器１０が机の上に置かれた時、その机上面に向かい合う。下壁１５ｂには、例えば机上面に接する複数の脚部１６が設けられている。上壁１５ａは、下壁１５ｂとの間に空間を空けて、下壁１５ｂと略平行に広がる。周壁１５ｃは、下壁１５ｂとは交差する方向に延び、下壁１５ｂの周縁部と上壁１５ａの周縁部とを繋いでいる。
【００１５】
上壁１５ａには、キーボード１７が設けられている。キーボード１７は、「入力部（入力受付部）」の一例である。なお、入力部は、キーボードに限らず、例えばタッチパネル（タッチセンサ）や、その他の入力装置でもよい。
【００１６】
第１筐体４は、第１端部４ａ及び第２端部４ｂを有する。第１端部４ａは、例えば後端部であり、第１筐体４の長手方向（筐体の幅方向）に延びている。ヒンジ１３ａ，１３ｂは、第１端部４ａに設けられている。第２端部４ｂは、第１端部４ａとは反対側に位置し、例えば前端部である。
【００１７】
第２ユニット１２は、例えば表示ユニットである。第２ユニット１２は、第２筐体１８と、該第２筐体１８に収容された表示装置１９（表示部）とを有する。表示装置１９は、例えば液晶ディスプレイ（ＬＣＤ）であるが、これに限定されない。表示装置１９は、表示画面１９ａを有する。表示画面１９ａは、第２筐体１８の開口部１８ａから外部に露出されている。
【００１８】
第２筐体１８は、ヒンジ１３ａ，１３ｂを介して、第１筐体４の第１端部４ａに回動可能に連結されている。これにより、電子機器１０は、第１筐体４と第２筐体１８とが重ねられた第１状態（第１位置）と、第１筐体４から第２筐体１８が離れた第２状態（第２位置）との間で変形可能（回動可能）である。上記第１状態では、キーボード１７及び表示画面１９ａが外部に露出される。上記第２状態では、キーボード１７及び表示画面１９ａが外部から隠される。
【００１９】
次に、バッテリ５の取付構造について説明する。  
図４及び図５に示すように、バッテリ５は、第１筐体４（以下、筐体４）の第１端部４ａに取り付けられる。第１端部４ａは、バッテリ５が取り付けられる凹状の収容部２１が設けられている。
【００２０】
詳しく述べると、図５に示すように、筐体４は、第１乃至第３部分２１ａ，２１ｂ，２１ｃを有する。これら第１乃至第３部分２１ａ，２１ｂ，２１ｃによって、収容部２１が規定されている。第１部分２１ａは、筐体４の後端から窪んだ位置に設けられ、筐体４の長手方向（左右方向）に延びている。第１部分２１ａは、バッテリ５の取付方向（挿入方向）でバッテリ５に向かい合う。
【００２１】
第１部分２１ａには、第１コネクタ２２、第１ロック２３、及び第２ロック２４が設けられている。第１コネクタ２２は、例えばバッテリコネクタであり、バッテリ５に接続される複数のピンを有する。第１ロック２３及び第２ロック２４は、バッテリ５を筐体４に固定する部分であり、「ロック部」、「ロックレバー」、「スライド部」、「スライド部品」、「固定部」、「支持部」、「連結部」、「接続部」、「繋ぐ部分」、「止める部分」、「領域」、「部分」、「部材」の其々一例である。
【００２２】
図４及び図５に示すように、第２部分２１ｂ及び第３部分２１ｃは、第１部分２１ａの両側に分かれて設けられ、第１部分２１ａよりも後方に突出した突出部である。第２部分２１ｂ及び第３部分２１ｃには、ヒンジ１３ａ，１３ｂが設けられている。収容部２１は、第２部分２１ｂと第３部分２１ｃとの間に設けられ、上方、下方、及び後方に開放されている。すなわち、バッテリ５は、第２部分２１ｂと第３部分２１ｃとの間に取り付けられ、上方、下方、及び後方に露出される。
【００２３】
図６に示すように、第２部分２１ｂは、壁２６（筐体壁、外壁、外面、表面）と、第１ガイド２７とを有する。壁２６は、筐体４の厚さ方向に広がり、バッテリ５の第２端部５ｂ（後述）に向かい合う。第１ガイド２７は、「レール」、「壁」、「案内」、「支持」、「導く部分」、「位置決め」、「領域」、「部分」の其々一例である。第１ガイド２７は、例えば壁２６から突出した凸部（突出部）である。第１ガイド２７は、バッテリ５の取付方向（挿入方向）に延び、バッテリ５の第２端部５ｂが案内される。
【００２４】
図６に示すように、第１ガイド２７は、互いに独立して、離れて設けられた第１部分２７ａと、第２部分２７ｂとを有する。第１部分２７ａ及び第２部分２７ｂは、其々、厚い部分３１（幅が広い部分）と、薄い部分３２（幅が狭い部分）とを含む。なお、ここでいう「厚い」及び「薄い」とは、筐体４の厚さ方向の幅（鉛直方向の幅）が大きいこと又は小さいことを指す。
【００２５】
第１ガイド２７は、全ての部分で厚みが一定でもよい。なお、本実施形態では、第１ガイド２７が点接触でバッテリ５を案内できるように、薄い部分３２が設けられている。これにより、第１ガイド２７とバッテリ５との間の摩擦が小さく、バッテリ５の挿入がスムーズになる。なお、第１ガイド２７の厚さＴ１は、厚い部分３１の厚みで定義される。
【００２６】
同様に、第３部分２１ｃは、壁３４（筐体壁、外壁、外面、表面）と、第２ガイド３５とを有する（図１７参照）。壁３４は、筐体４の厚さ方向に広がり、バッテリ５の第３端部５ｃ（後述）に向かい合う。第２ガイド３５は、「レール」、「壁」、「案内」、「支持」、「導く部分」、「位置決め」、「領域」、「部分」の其々一例である。第２ガイド３５は、例えば壁３４から突出した凸部（突出部）である。第２ガイド３５は、バッテリ５の取付方向（挿入方向）に延び、バッテリ５の第３端部５ｃが案内される。
【００２７】
第２ガイド３５は、互いに独立して、離れて設けられた第１部分３５ａと、第２部分３５ｂとを有する。第１部分３５ａ及び第２部分３５ｂは、第１ガイド２７と同様に、其々、厚い部分３１と、薄い部分３２とを含む。なお、第２ガイド３５は、全ての部分で厚みが一定でもよい。
【００２８】
図７及び図８に示すように、バッテリ５は、横長のケース４１（バッテリケース）と、該ケース４１に収容された複数のセル（電池セル）とを有する。バッテリ５は、第１端部５ａ（第１面）、第２端部５ｂ（第２面）、第３端部５ｃ（第３面）、及び第４端部５ｄ（第４面）を有する。第１端部５ａは、バッテリ５の長手方向に延びている。第１端部５ａは、例えばバッテリ５の前端部であり、筐体４の収容部２１の第１部分２１ａに向かい合う。
【００２９】
第２端部５ｂ及び第３端部５ｃは、バッテリ５の側部（側面）であり、第１端部５ａとは交差する方向（例えば略直交する方向）に延びている。第２端部５ｂは、収容部２１の第２部分２１ｂに向かい合う。第３端部５ｃは、第２端部５ｂとは反対側に位置する。第３端部５ｃは、収容部２１の第３部分２１ｃに向かい合う。第４端部５ｄは、第１端部５ａとは反対側に位置する。第４端部５ｄは、例えばバッテリ５の後端部であり、外部に露出されている。
【００３０】
図７及び図８に示すように、バッテリ５の第１端部５ａには、第２コネクタ４２、第１係合部４３、及び第２係合部４４が設けられている。第２コネクタ４２は、筐体４の第１コネクタ２２に接続され、第１コネクタ２２と電気的に連絡する。
【００３１】
第１係合部４３及び第２係合部４４は、其々、「フック」、「取付部」、「固定部」、「連結部」、「支持部」、「領域」、「部分」の一例である。第１係合部４３及び第２係合部４４は、其々、ケース４１から突出した第１部分４５ａ（突出部）と、該第１部分４５ａの先端部から折れ曲がった第２部分４５ｂ（掛止部、爪部）とを有する。第２部分４５ｂは、バッテリ５の第１端部５ａと略平行に延びている。第２部分４５ｂとケース４１との間には、第１ロック２３又は第２ロック２４が挿入される隙間が設けられている。
【００３２】
図７及び図８に示すように、バッテリ５の第２端部５ｂは、第１凹部５１が設けられている。第１凹部５１は、「開口部」、「窪み」、ケース４１の表面に対して奥まった（下がった、低くなった、又は段差がある）「部分」又は「領域」、「受け部」、「ガイド受け部」、「溝」、「溝部」の其々一例である。換言すれば、第２端部５ｂは、第１部分と、該第１部分の両側から突出した一対の第２部分（突出部）とを有して第１凹部５１が設けられている。第１凹部５１は、例えばコの字形である。
【００３３】
第１凹部５１は、第１ガイド２７に沿って延びた溝である。すなわち、第１凹部５１は、バッテリ５の取付方向に延びている。第１凹部５１は、バッテリ５の第１端部５ａに達し、第１端部５ａに開放されている。つまり、第１凹部５１は、前方に開放されている。これにより、第１凹部５１には、第１ガイド２７が挿入される。
【００３４】
バッテリ５の第２端部５ｂは、第１凹部５１が第１ガイド２７に係合されることで、第１ガイド２７によって摺動案内される。なお、第１ガイド２７と第１凹部５１との間には、摺動用の隙間（遊び）が設けられている。これにより、バッテリ５は、第１ガイド２７にスムーズに案内される。
【００３５】
同様に、バッテリ５の第３端部５ｃは、第２凹部５２が設けられている。第２凹部５２は、「開口部」、「窪み」、ケース４１の表面に対して奥まった（下がった、低くなった、又は段差がある）「部分」又は「領域」、「受け部」、「ガイド受け部」、「溝」、「溝部」の其々一例である。換言すれば、第３端部５ｃは、第１部分と、該第１部分の両側から突出した一対の第２部分（突出部）とを有して第２凹部５２が設けられている。
【００３６】
第２凹部５２は、第２ガイド３５に沿って延びた溝である。すなわち、第２凹部５２は、バッテリ５の取付方向に延びている。第２凹部５２は、バッテリ５の第１端部５ａに達し、第１端部５ａに開放されている。つまり、第２凹部５２は、前方に開放されている。これにより、第２凹部５２には、第２ガイド３５が挿入される。
【００３７】
バッテリ５の第３端部５ｃは、第２凹部５２が第２ガイド３５に係合されることで、第２ガイド３５によって摺動案内される。なお、第２ガイド３５と第２凹部５２との間には、摺動用の隙間（遊び）が設けられている。これにより、バッテリ５は、第２ガイド３５にスムーズに案内される。
【００３８】
図９乃至図１１に示すように、第１ロック２３は、バッテリ５の第１係合部４３に対応した位置に設けられている。第１ロック２３は、第１係合部４３に対する係合（接続、連結、固定、係り）が解除された第１位置（解除位置、図１０参照）と、第１係合部４３に係合した第２位置（ロック位置、図１１参照）との間でスライド移動可能である。
【００３９】
詳しく述べると、第１ロック２３は、第１係合部４３の内側に挿入される突起部５４（係止片、リブ）を有する。第１位置では、第１ロック２３は、第１係合部４３から離れている。すなわち、突起部５４は、第１係合部４３の外側に位置する。このため、バッテリ５は、筐体４から自由に取り外し可能である。
【００４０】
一方で、第２位置では、第１ロック２３は、第１係合部４３に向かって移動され、突起部５４が第１係合部４３の内側に位置する。すなわち、突起部５４は、第１係合部４３の第２部分４５ｂとケース４１との間の隙間に入る。突起部５４は、第１係合部４３の第２部分４５ｂに後方から向かい合う。このため、バッテリ５は、筐体４から自由に取り外せなくなる。
【００４１】
第１ロック２３は、第１位置と第２位置とに亘り、バッテリ５の第１端部５ａに沿う方向に移動される。すなわち、第１ロック２３は、バッテリ５の第２端部５ｂとは交差する方向（例えば略直交する方向）に移動される。
【００４２】
図６に示すように、第１ロック２３は、筐体４の外部に露出された操作部５５（ボタン、スライドボタン）を有する。ユーザーは、操作部５５を移動（スライド移動）させることで、第１ロック２３を第１位置と第２位置との間で変位させることができる。
【００４３】
なお筐体４は、第１ロック２３を第１位置及び第２位置の其々で保持する保持部（例えばスロープ又は段差）を有する。このため、ユーザーが意図して操作しない限り、第２位置（ロック位置）に移動された第１ロック２３は、該第２位置に留まる。
【００４４】
図９乃至図１１に示すように、筐体４には、第１押さえ部６が設けられている。第１押さえ部６は、第１連動部６１と、第１支持部６２とを有する。第１連動部６１は、筐体４内に設けられている。第１連動部６１は、第１ロック２３に連結され、第１ロック２３に連動して動く。第１連動部６１は、「連結部」、「接続部」、「リンク」、「部分」、「領域」、「部材」、「パーツ」、「領域」の其々一例である。
【００４５】
本実施形態では、第１連動部６１は、第１部材６３と、第２部材６４とを含む。第１部材６３は、第１ロック２３に取り付けられ、バッテリ５の第１端部５ａに沿って延びている。第１部材６３は、第１端部６３ａと第２端部６３ｂとを有する。第１端部６３ａは、第１ロック２３に連結（接続、固定）されている。これにより、第１部材６３は、第１ロック２３の移動に伴いスライド移動する。
【００４６】
具体的には、第１ロック２３には、筐体４の厚さ方向に延びた第１軸６５が設けられている。第１部材６３の第１端部６３ａは、穴部が設けられ、第１ロック２３の第１軸６５に回動可能に支持されている。第１部材６３の第２端部６３ｂは、バッテリ５の前方領域を外れた位置まで延びている。第２端部６３ｂには、筐体４の厚さ方向に延びた第２軸６６が設けられている。
【００４７】
一方で、バッテリ５の第２端部５ｂの側方には、筐体４の厚さ方向に延びた第３軸６７が設けられている。第３軸６７は、筐体４に固定されている。第２部材６４は、バッテリ５の第２端部５ｂの側方に設けられ、バッテリ５の第２端部５ｂに向かい合う。第２部材６４は、第１端部６４ａと、第２端部６４ｂとを有する。
【００４８】
第２部材６４の第１端部６４ａは、穴部が設けられ、筐体４の第３軸６７に回動可能に支持されている。すなわち、第２部材６４の第１端部６４ａは、筐体４に回動可能に支持されている。第２部材６４の第２端部６４ｂは、穴部が設けられ、前記第２軸６６に回動可能に支持されている。
【００４９】
これにより、第１ロック２３が移動されると、第１ロック２３の移動に伴い第１部材６３がスライド移動する。第２部材６４は、第３軸６７に支持された第１端部６４ａを回動支点として第２端部６４ｂが左右に移動する振り子運動をする。すなわち、第２部材６４は、第１位置と、該第１位置よりもバッテリ５の第２端部５ｂに近付く第２位置との間で移動可能である。
【００５０】
図９乃至図１１に示すように、第２部材６４には、第１支持部６２が設けられている。第１支持部６２は、バッテリ５の第２端部５ｂの側方に設けられ、第１凹部５１に向かい合う。第１支持部６２は、第１連動部６１によって第１ロック２３の閉じる動きに伴い第１凹部５１に向いて移動可能である。すなわち、第１ロック２３が第１位置から第２位置に移動されるに伴い、第１支持部６２は、第１凹部５１に向いて移動され、第１凹部５１に係合する（接する、当接する）。
【００５１】
図６に示すように、第１筐体４には、第１ガイド２７の第１部分２７ａと第２部分２７ｂとの間に開口部６８が設けられている。第１支持部６２の先端部は、開口部６８から筐体４の外部に突出する。第１支持部６２は、第１ガイド２７の第１部分２７ａと第２部分２７ｂとの間に位置する。第１支持部６２は、第１ガイド２７の延びた方向で、第１ガイド２７と並んで設けられている。これにより、第１支持部６２の先端部は、第１ガイド２７とともに、バッテリ５の第１凹部５１に挿入される。
【００５２】
図１２乃至図１６に示すように、第１支持部６２は、楔形部分７１（楔形部、楔形領域、傾斜部）を含む。楔形部分７１は、「押圧部」、「挿入部」、「係合部」、「領域」、「厚みが異なる領域」、「部分」、「厚みが異なる部分」の其々一例である。楔形部分７１は、第２部材６４に固定された基端部７１ａ（第１端部）と、該基端部７１ａとは反対側に位置し、第１凹部５１に向いて突出した先端部７１ｂ（第２端部）とを有する。
【００５３】
楔形部分７１は、先端部７１ｂから基端部７１ａに向いて進むに従って厚くなる。本実施形態では、楔形部分７１は、２つの斜面７２ａ，７２ｂ（傾斜面、表面、支持面、面、）を有する。すなわち、楔形部分７１は、互いに非平行に延びた２つの壁に挟まれた部分である。２つの斜面７２ａ，７２ｂは、筐体４の厚み方向に分かれている。２つの斜面７２ａ，７２ｂは、先端部７１ｂから基端部７１ａに向いて進むに従って斜面７２ａ，７２ｂの間の距離が大きくなるように傾斜している。
【００５４】
図１３乃至図１６に示すように、楔形部分７１の先端部７１ｂの厚さＴ２は、第１ガイド２７の厚さＴ１（最大厚さ）よりも小さい。また、楔形部分７１の先端部７１ｂの厚さＴ２は、第１凹部５１の厚さＴ３よりも小さい。このため、第１凹部５１に向けて楔形部分７１が移動されると、先端部７１ｂは、第１凹部５１の内部に挿入される。
【００５５】
一方で、楔形部分７１の基端部７１ａの厚さＴ４は、第１ガイド２７の厚さＴ１（最大厚さ）よりも大きい。また、楔形部分７１の基端部７１ａの厚さＴ４は、第１凹部５１の厚さＴ３よりも大きい。このため、第１凹部５１に向けて楔形部分７１がさらに移動されると、楔形部分７１の斜面７２ａ，７２ｂ（第１斜面７２ａ及び第２斜面７２ｂ）が第１凹部５１の開口縁５１ａ（縁部）に係合する（当接する、接する、支持する）。
【００５６】
すなわち、開口縁５１ａは、第１凹部５１の上端部に位置した第１縁部５１ａａと、第１凹部５１の下端部に位置した第２縁部５１ａｂとを有する。楔形部分７１の第１斜面７２ａは、第１縁部５１ａａに係合する。楔形部分７１の第２斜面７２ｂは、第２縁部５１ａｂに係合する。この状態では、楔形部分７１と第１凹部５１との間には、摺動用の隙間（遊び）は実質的に存在しない。これにより、第１支持部６２は、バッテリ５の第２端部５ｂを支持する。バッテリ５の第２端部５ｂは、第１支持部６２に支持され、位置が固定される。
【００５７】
さらに詳しく説明すると、図１３及び図１４に示すように、第１支持部６２が引っ込んだ状態では、第１凹部５１は、第１ガイド２７に支持される。ここで、第１ガイド２７と第１凹部５１との間には、スムーズなスライド移動を確保するための隙間（遊び）が設けられている。すなわち、第１凹部５１は、第１ガイド２７よりも一回り大きい。このため、バッテリ５の重力によって、第１凹部５１の上端部が第１ガイド２７の上に乗り、第１凹部５１の下端部と第１ガイド２７との間には隙間が存在する。
【００５８】
一方で、図１５及び図１６に示すように、第１支持部６２が押し出された状態では、第１凹部５１は、第１支持部６２に係合される。第１凹部５１の上端部は、第１斜面７２ａによって持ち上げられる。これにより、第１凹部５１の上端部と下端部とが、第１支持部６２の第１及び第２の斜面７２ａ，７２ｂに接した位置でバッテリ５の高さ位置が定まる。第１支持部６２は、第１及び第２の斜面７２ａ，７２ｂが第１凹部５１の第１縁部５１ａａ及び第２縁部５１ａｂに接した状態で、前進が止まる。
【００５９】
ここで、図９乃至図１１に示すように、第１連動部６１の第２部材６４は、第１部分６４ｃと、第２部分６４ｄとを有する。第１部分６４ｃは、例えば第１端部６４ａと該第２部材６４の中央部との間に設けられている。第２部分６４ｄは、例えば第２端部６４ｂと該第２部材６４の中央部との間に設けられている。
【００６０】
第２部分６４ｄは、第１部分６４ｃに比べて薄く形成されている。第２部材６４は、プラスチックまたは金属材料で設けられている。第２部分６４ｄは、第１部分６４ｃに比べて弾性変形しやすい。第２部分６４ｄは、「弾性部」の一例である。なお、「弾性部」は、上記例に限定されず、例えばばねやゴムで構成されてもよい。換言すれば、第１部分６４ｃは、第２部分６４ｄよりも厚くて剛性が大きい。第１支持部６２は、剛性が確保された第１部分６４ｃに設けられている。
【００６１】
第１ロック２３を第１位置から第２位置へ向けて移動させると、第１ロック２３が第２位置に達する前に、第１支持部６２が第１凹部５１に係合してそれ以上移動しなくなる。第１支持部６２が第１凹部５１に係合した状態で、第１ロック２３を第２位置まで移動させると、第１ロック２３と第１支持部６２との間で第２部材６４の第２部分６４ｄが弾性変形する。
【００６２】
第２位置に達した第１ロック２３は、筐体４に設けられた保持構造によって第２位置に保持される。このとき、第１支持部６２は、弾性変形した第２部材６４の第２部分６４ｄによって、第１凹部５１に向けて押圧される。これにより、バッテリ５の第２端部５ｂに対する第１支持部６２の当接状態が確実に実現される。
【００６３】
同様に、図１７及び図１８に示すように、筐体４には、第２ロック２４及び第２押さえ部７が設けられている。なお、第１押さえ部６と同じ又は類似の機能を有する構成は、同一の符号を付してその説明を省略する。また、下記に説明する以外の構成は、第１押さえ部６と同じである
第２ロック２４は、バッテリ５の第２係合部４４に対応した位置に設けられている。第２ロック２４は、第２係合部４４に対する係合（接続、連結、固定、係り）が解除された第１位置（解除位置、図１７参照）と、第２係合部４４に係合した第２位置（ロック位置、図１８参照）との間でスライド移動可能である。
【００６４】
第２ロック２４は、第１位置と第２位置とに亘り、バッテリ５の第１端部５ａに沿う方向に移動される。すなわち、第２ロック２４は、バッテリ５の第３端部５ｃとは交差する方向（例えば略直交する方向）に移動される。
【００６５】
図１７及び図１８に示すように、第２押さえ部７は、第２連動部８１と、第２支持部８２とを有する。第２連動部８１は、筐体４内に設けられている。第２連動部８１は、第２ロック２４に連結され、第２ロック２４に連動して動く。第２連動部８１は、「連結部」、「接続部」、「リンク」、「部分」、「領域」、「部材」、「パーツ」、「領域」の其々一例である。
【００６６】
これにより、第２ロック２４が移動されると、第２ロック２４の移動に伴い第１部材６３が移動する。第２部材６４は、第３軸６７に支持された第１端部６４ａを回動支点として第２端部６４ｂが左右に移動する振り子運動をする。すなわち、第２部材６４は、第１位置と、該第１位置よりもバッテリ５の第３端部５ｃに近付く第２位置との間で移動可能である。
【００６７】
第２部材６４には、第２支持部８２が設けられている。第２支持部８２は、バッテリ５の第３端部５ｃの側方に設けられ、第２凹部５２に向かい合う。第２支持部８２は、第２２連動部８１によって第２ロック２４の閉じる動きに伴い第２凹部５２に向いて移動可能である。すなわち、第２ロック２４が第１位置から第２位置に移動されるに伴い、第２支持部８２は、第２凹部５２に向いて移動し、第２凹部５２に係合する。なお、第２支持部８２は、第２ロック２４ではなく、第１ロック２３又はその他の部材に連動してもよい。
【００６８】
第２支持部８２は、第１支持部６２と同様に、楔形部分７１を有する。楔形部分７１は、第２凹部５２に挿入される先端部７１ｂを有して第２凹部５２の開口縁５２ａに係合される。第２支持部８２は、バッテリ５の第３端部５ｃを支持する。バッテリ５の第３端部５ｃは、第２支持部８２に支持され、位置が固定される。
【００６９】
図５に示すように、第１支持部６２及び第２支持部８２は、バッテリ５の両側に分かれて位置し、互いに向かい合う。バッテリ５は、第１支持部６２と第２支持部８２とに挟まれ、第１支持部６２と第２支持部８２との間で支持される。
【００７０】
このような構成によれば、電子機器１０のガタつきの抑制を図ることができる。  
本実施形態では、バッテリ５は、筐体４に対して後方からスライドさせて取り付けられる。このような場合、バッテリ５と筐体４との間には、スムーズなスライドを可能にするための隙間（遊び）が設けられる。また、バッテリ５及び筐体４の部品公差によっても隙間が存在する。このような隙間があると、筐体４に取り付けられたバッテリは、筐体４に対してガタつく可能性がある。
【００７１】
そこで本実施形態では、電子機器１０は、凹部５１が設けられたバッテリ５と、凹部５１に向いて移動可能な支持部６２とを有する。支持部６２は、凹部５１に挿入される先端部７１ａを有して凹部５１の開口縁５１ａに係合される楔形部分７１を含む。これによれば、凹部５１の開口縁５１ａに係合した楔形部分７１によってバッテリ５が支持可能である。このため、バッテリ５のガタつきを少なくする又は無くすことができる。
【００７２】
本実施形態では、筐体４に設けられてバッテリ５が係合するロック２３と、ロック２３に連動した連動部６１とを有する。支持部６２は、連動部６１によってロック２３が閉じる動きに伴いバッテリ５に向いて移動され、バッテリ５に接する。これによれば、バッテリ５が外れないようにするためのロック２３の操作だけで、同時に支持部６２が移動し、バッテリ５が支持される。このため、ユーザーが支持部６２を移動させるための特別な操作を必要としない。このため、電子機器１０の使いやすさを向上させることができる。
【００７３】
本実施形態では、第１係合部４３及び第２係合部４４がバッテリ５の第１端部５ａ（前端部)に設けられている。このため、第１係合部４３及び第２係合部４４だけでは、バッテリ５の第４端部５ｄ（後端部）にガタが残る。すなわち、バッテリ５の厚さ方向のガタつきや、バッテリ５のねじれ方向のガタつきが残る。
【００７４】
本実施形態では、バッテリ５は、ロック２３に係合される係合部４３が設けられた第１端部５ａと、該第１端部５ａとは交差する方向に延びて第１凹部５１が設けられた第２端部５ｂとを有する。第１支持部６２は、第１凹部５１に係合され、バッテリ５の第２端部５ｂ（例えば側端部）を支持する。つまり、バッテリ５の前端部以外の端部が支持される。これにより、バッテリ５の厚さ方向のガタつきや、バッテリ５のねじれ方向のガタつきを少なくする又は無くすことができる。これにより、製品品位をさらに高めることができる。
【００７５】
本実施形態では、筐体４は、バッテリ５が案内されるガイド２７を有する。第１凹部５１は、ガイド２７が挿入される溝である。これによれば、第１支持部６２は、ガイド２７が挿入されるために設けられた溝を利用してバッテリ５を支持する。つまり、バッテリ５には、第１支持部６２を受けるための特別な構造は不要である。このため、電子機器１０の製造コストを低減することができる。
【００７６】
本実施形態では、ガイド２７は、互いに離れて設けられた第１部分２７ａと第２部分２７ｂとを有する。第１支持部６２は、ガイド２７の第１部分２７ａと第２部分２７ｂとの間に位置する。これによれば、ガイド２７によって案内された第１凹部５１は、第１支持部６２にさらに確実に向かい合う。このような構成によれば、電子機器１０のガタつきをさらに小さくすることができる。
【００７７】
本実施形態では、筐体４は、ガイド２７の第１部分２７ａと第２部分２７ｂとの間に開口部６８が設けられている。第１支持部６２の先端部７１ｂは、開口部６８から筐体４の外部に突出する。これによれば、連動部６１を筐体４内に設けることができる。これにより、電子機器１０の外観意匠を向上させることができる。
【００７８】
本実施形態では、連動部６１は、弾性部を有する。第１支持部６２は、弾性部６４ｄによって第１凹部５１に向けて押圧される。これによれば、第１支持部６２と第１凹部５１との係合がさらに確実になる。このような構成によれば、電子機器１０のガタつきをさらに小さくすることができる。さらに、連動部６１が弾性部６４ｄを有すると、バッテリ５が部品公差を有しても、バッテリ５を確実に支持することができる。
【００７９】
本実施形態では、バッテリ５は、第２凹部５２が設けられた第３端部５ｃを有する。第２支持部８２は、第２凹部５２に向いて移動可能であり、バッテリ５の第３端部５ｃを支持する。これによれば、第１支持部６２が支持するバッテリ５の端部とは異なる端部を第２支持部８２で支持可能である。このような構成によれば、電子機器１０のガタつきをさらに小さくすることができる。
【００８０】
第１支持部６２及び第２支持部８２がバッテリ５の両側に分かれて設けられると、第１支持部６２及び第２支持部８２によってバッテリ５が両側から支持される。このため、バッテリ５は、収容部２１の横方向の中央部に対してどちらかに偏りにくい。この構成によれば、製品品位がさらに高まるとともに、第１コネクタ２２と第２コネクタ４２との間に負荷が作用しにくい。
【００８１】
（第３実施形態）  
次に、図１９を参照して、第３実施形態に係る電子機器１０を説明する。なお、第２実施形態の構成と同一または類似の機能を有する構成は、同一の符号を付してその説明を省略する。また、下記に説明する以外の構成は、第２実施形態と同じである。
【００８２】
図１９に示すように、電子機器１０の下壁１５ｂは、バッテリ５が収容される収容部２１が設けられている。本実施形態に係る収容部２１は、下方に開放されている。バッテリ５は、筐体４の厚さ方向から収容部２１に取り付けられる。バッテリ５の両側には、第１押さえ部６及び第２押さえ部７が設けられている。
【００８３】
このような構成によっても、第２実施形態と同様に、電子機器１０のガタつきを抑制することができる。
【００８４】
（第４実施形態）  
次に、図２０を参照して、第４実施形態に係る電子機器を説明する。なお、第２実施形態の構成と同一または類似の機能を有する構成は、同一の符号を付してその説明を省略する。また、下記に説明する以外の構成は、第２実施形態と同じである。
【００８５】
図２０は、本実施形態に係る外部接続装置９１を示す。外部接続装置９１は、「電子機器」の一例である。外部接続装置９１は、例えば「拡張機器」、「クレードル」、「ドック」、「ドッキングステーション」、「ホルダ」、「保持装置」、又は「支持装置」などと称される。
【００８６】
外部接続装置９１には、外部機器９２が着脱可能に取り付けられる。外部機器９２は、例えば携帯電話（スマートフォンを含む）、タブレット端末（スレートＰＣ）、ノートＰＣ、携帯用テレビジョン受像機などであるが、これらに限定されるものではない。外部機器９２は、「モジュール」及び「ユニット」の其々一例である。
【００８７】
このような構成によっても、第２実施形態と同様に、電子機器１０のガタつきを抑制することができる。
【００８８】
（第５実施形態）  
次に、図２１を参照して、第５実施形態に係る電子機器１０を説明する。なお、第２実施形態の構成と同一または類似の機能を有する構成は、同一の符号を付してその説明を省略する。また、下記に説明する以外の構成は、第２実施形態と同じである。
【００８９】
図２１に示すように、電子機器１０は、筐体４と、バッテリ５（モジュール、ユニット）とを有する。筐体４とバッテリ５との間には、弾性部材９５が設けられている。弾性部材９５の一例は、スポンジ部材である。弾性部材９５は、筐体４とバッテリ５との間に挟まれ、バッテリ５に反力を及ぼす。バッテリ５は、弾性部材９５によって支持される。弾性部材９５は、例えばバッテリ５の第２端部５ｂ及び第３端部５ｃを支持する。
【００９０】
このような構成によっても、第２実施形態と同様に、電子機器１０のガタつきを抑制することができる。
【００９１】
以上、第１乃至第５の実施形態の構成によれば、電子機器１０のガタつきの抑制を図ることができる。なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００９２】
例えば、支持部６２，８２は、ロック２３，２４に連動するものに限らない。支持部６２，８２は、ロック２３，２４とは独立して移動されるものでもよい。支持部６２，８２の形状は、楔形部分７１を有するものに限らない。モジュール（ユニット）は、凹部５１，５２が設けられていなくてもよい。支持部６２，８２は、モジュール（ユニット）の平面領域（平面部、壁部）に当接するものでもよい。このような構成でも、モジュールのガタつきを少なくすることができる。なお、モジュールが凹部を有し、支持部が楔形部分を有すると、さらに確実にモジュールのガタつきを少なくすることができる。
【００９３】
支持部６２，８２は、ガイド２７，３５とは別の領域に設けられてもよい。凹部５１，５２は、ガイド用の溝に限定されず、支持部６２，８２を受けるためまたは他の目的で設けられた窪みでもよい。また、ガイド２７，３５の一部又は全部が支持部６２，８２によって構成されてもよい。すなわち、ガイド２７，３５の全体が突き出る動きをしてもよい。
【００９４】
支持部６２，８２の数は、２つに限らず、どちらか１つでもよい。ロック２３，２４と連動部６１，８１の第１部材６３とを一体構造にすることで、部品点数を削減することができる。支持部６２，８２の先端部にスポンジのような弾性部材が取り付けられると、係合時の音を小さくすることができるととともに、係合がさらに確実になる。
以下に、いくつかのテレビジョン受像機及び電子機器を付記する。
[１]、(i)第１コネクタとロックとが設けられた筐体と、(ii)前記第１コネクタに接続される第２コネクタ及び前記ロックに係合される係合部が設けられた第１端部と、該第１端部とは交差する方向に延びて第１凹部が設けられた第２端部とを有し、前記筐体に取り付けられたバッテリと、(iii)前記ロックに連動した連動部と、(iv)前記連動部によって前記ロックの閉じる動きに伴い前記第１凹部に向いて移動可能であり、前記第１凹部に挿入される先端部を有して前記第１凹部の開口縁に係合される楔形部分を含み、前記バッテリの第２端部を支持した第１支持部と、を具備したテレビジョン受像機。
[２]、[１]の記載において、前記筐体は、前記バッテリが案内されるガイドを有し、前記第１凹部は、前記ガイドに沿って延びて前記ガイドが挿入される溝であり、前記第１支持部は、前記ガイドの延びた方向で前記ガイドと並んで前記第１凹部に挿入されるテレビジョン受像機。
[３]、[２]の記載において、前記ガイドは、互いに離れて設けられた第１部分と第２部分とを有し、前記第１支持部は、前記ガイドの第１部分と第２部分との間に位置したテレビジョン受像機。
[４]、[３]の記載において、前記筐体は、前記ガイドの第１部分と第２部分との間に開口部が設けられ、前記連動部は、前記筐体内に設けられ、前記第１支持部の先端部は、前記開口部から前記筐体の外部に突出するテレビジョン受像機。
[５]、[１]または[４]の記載において、前記連動部は、弾性部を有し、前記第１支持部は、前記弾性部によって前記第１凹部に向けて押圧されるテレビジョン受像機。
[６]、[１]または[５]の記載において、第２支持部をさらに備え、前記バッテリは、前記第２端部とは反対側に位置して第２凹部が設けられた第３端部を有し、前記第２支持部は、前記第２凹部に向いて移動可能であり、前記第２凹部に挿入される先端部を有して前記第２凹部の開口縁に係合される楔形部分を含み、前記バッテリの第３端部を支持したテレビジョン受像機。
[７]、[６]の記載において、前記バッテリは、前記第１支持部と前記第２支持部とに挟まれるテレビジョン受像機。
[８]、[１]または[７]の記載において、前記連動部は、前記ロックに取り付けられた第１部材と、前記筐体に回動可能に支持された第１端部と前記第１部材に接続された第２端部とを有して前記第１支持部が設けられた第２部材とを備えたテレビジョン受像機。
[９]、(i)筐体と、(ii)前記筐体に取り付けられ、凹部が設けられたモジュールと、(iii)前記筐体に設けられ、前記凹部に向いて移動可能であり、前記凹部に挿入される先端部を有して前記凹部の開口縁に係合される楔形部分を含む支持部と、を具備した電子機器。
[１０]、(i)筐体と、(ii)前記筐体に取り付けられたモジュールと、(iii)前記筐体に設けられ、前記モジュールが係合するロックと、(iv)前記ロックに連動した連動部と、(v)前記連動部によって前記ロックが閉じる動きに伴い前記モジュールに向いて移動され、前記モジュールに接する支持部と、を具備した電子機器。
【符号の説明】
【００９５】
１…テレビジョン受像機、４…筐体、５…バッテリ、５ａ…第１端部、５ｂ…第２端部、５ｃ…第３端部、１０…電子機器、２２…第１コネクタ、２３…ロック、２７…ガイド、２７ａ…第１部分、２７ｂ…第２部分、４２…第２コネクタ、４３，４４…係合部、５１…第１凹部、５２…第２凹部、６１…第１連動部、６２…第１支持部、６３…第１部材、６４…第２部材、６４ｄ…弾性部、６８…開口部、７１…楔形部分、８１…第２連動部、８２…第２支持部。
【図１】
0005362046.tif 000002
【図２】
0005362046.tif 000003
【図３】
0005362046.tif 000004
【図４】
0005362046.tif 000005
【図５】
0005362046.tif 000006
【図６】
0005362046.tif 000007
【図７】
0005362046.tif 000008
【図８】
0005362046.tif 000009
【図９】
0005362046.tif 000010
【図１０】
0005362046.tif 000011
【図１１】
0005362046.tif 000012
【図１２】
0005362046.tif 000013
【図１３】
0005362046.tif 000014
【図１４】
0005362046.tif 000015
【図１５】
0005362046.tif 000016
【図１６】
0005362046.tif 000017
【図１７】
0005362046.tif 000018
【図１８】
0005362046.tif 000019
【図１９】
0005362046.tif 000020
【図２０】
0005362046.tif 000021
【図２１】
0005362046.tif 000022